【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
電子メールを受信する受信手段と、
前記受信手段により受信した電子メールの印刷を制限する制限手段とを有することを特徴とする電子メール印刷装置。
【請求項２】
前記制限手段は、電子メールを所定量まで印刷することを特徴とする請求項１記載の電子メール印刷装置。
【請求項３】
前記所定量は、行数を含むことを特徴とする請求項１記載の電子メール印刷装置。
【請求項４】
所定量を越えているか否かを判別する判別手段を有し、
前記制限手段は、前記判別手段による判別結果に応じて印刷を制限することを特徴とする請求項１記載の電子メール印刷装置。
【請求項５】
前記所定量を設定する設定手段を有することを特徴とする請求項１記載の電子メール印刷装置。
【請求項６】
前記制限手段は、前記設定手段により０が設定された場合、電子メールの印刷を制限しないことを特徴とする請求項１記載の電子メール印刷装置。
【請求項７】
前記制限手段は、所定量を超える電子メールは印刷せず、所定量を超えない電子メールを印刷することを特徴とする請求項１記載の電子メール印刷装置。
【請求項８】
電子メールを受信する受信手段と、
制限印刷するか否かを判定する判定手段と、
制限数を超え前記判定手段により制限印刷しないと判定された場合、送信元または返信先にメールを送信する送信手段と、
制限数を超え前記判定手段により制限印刷すると判定された場合、所定量まで印刷する印刷手段とを有することを特徴とする電子メール印刷装置。
【請求項９】
電子メールを受信する受信手段と、
制限印刷するか否かを判定する判定手段と、
前記判定手段により制限印刷すると判定され、制限数を超える場合、電子メールを印刷せず、前記判定手段により制限印刷すると判定され、制限数を超えない場合、電子メールを印刷し、前記判定手段により制限印刷しないと判定された場合、電子メールを印刷する印刷手段とを有することを特徴とする電子メール印刷装置。
【請求項１０】
電子メールを受信する受信ステップと、
前記受信ステップにより受信した電子メールの印刷を制限する制限ステップとを有することを特徴とする電子メール印刷方法。
【請求項１１】
前記制限ステップは、電子メールを所定量まで印刷することを特徴とする請求項１０記載の電子メール印刷方法。
【請求項１２】
前記所定量は、行数を含むことを特徴とする請求項１０記載の電子メール印刷方法。
【請求項１３】
所定量を越えているか否かを判別する判別ステップを有し、
前記制限ステップは、前記判別ステップによる判別結果に応じて印刷を制限することを特徴とする請求項１０記載の電子メール印刷方法。
【請求項１４】
前記所定量を設定する設定ステップを有することを特徴とする請求項１０記載の電子メール印刷方法。
【請求項１５】
前記制限ステップは、前記設定ステップにより０が設定された場合、電子メールの印刷を制限しないことを特徴とする請求項１０記載の電子メール印刷方法。
【請求項１６】
前記制限ステップは、所定量を超える電子メールは印刷せず、所定量を超えない電子メールを印刷することを特徴とする請求項１０記載の電子メール印刷方法。
【請求項１７】
電子メールを受信する受信ステップと、
制限印刷するか否かを判定する判定ステップと、
制限数を超え前記判定ステップにより制限印刷しないと判定された場合、送信元または返信先にメールを送信する送信ステップと、
制限数を超え前記判定ステップにより制限印刷すると判定された場合、所定量まで印刷する印刷ステップとを有することを特徴とする電子メール印刷方法。
【請求項１８】
電子メールを受信する受信ステップと、
制限印刷するか否かを判定する判定ステップと、
前記判定ステップにより制限印刷すると判定され、制限数を超える場合、電子メールを印刷せず、前記判定ステップにより制限印刷すると判定され、制限数を超えない場合、電子メールを印刷し、前記判定ステップにより制限印刷しないと判定された場合、電子メールを印刷する印刷ステップとを有することを特徴とする電子メール印刷方法。
【請求項１９】
電子メールを受信する受信ステップと、
前記受信ステップにより受信した電子メールの印刷を制限する制限ステップとを実行するプログラムを記憶した記憶媒体。
【請求項２０】
前記制限ステップは、電子メールを所定量まで印刷することを特徴とする請求項１９記載の記憶媒体。
【請求項２１】
前記所定量は、行数を含むことを特徴とする請求項１９記載の記憶媒体。
【請求項２２】
前記プログラムは、所定量を越えているか否かを判別する判別ステップを実行し、
前記制限ステップは、前記判別ステップによる判別結果に応じて印刷を制限することを特徴とする請求項１９記載の記憶媒体。
【請求項２３】
前記所定量を設定する設定ステップを有することを特徴とする請求項１９記載の記憶媒体。
【請求項２４】
前記制限ステップは、前記設定ステップにより０が設定された場合、電子メールの印刷を制限しないことを特徴とする請求項１９記載の記憶媒体。
【請求項２５】
前記制限ステップは、所定量を超える電子メールは印刷せず、所定量を超えない電子メールを印刷することを特徴とする請求項１９記載の記憶媒体。
【請求項２６】
制限印刷するか否かを判定する判定ステップと、
制限数を超え前記判定ステップにより制限印刷しないと判定された場合、送信元または返信先にメールを送信する送信ステップと、
制限数を超え前記判定ステップにより制限印刷すると判定された場合、受信した電子メールを所定量まで印刷する印刷ステップとを実行するプログラムを記憶した記憶媒体。
【請求項２７】
制限印刷するか否かを判定する判定ステップと、
前記判定ステップにより制限印刷すると判定され、制限数を超える場合、受信した電子メールを印刷せず、前記判定ステップにより制限印刷すると判定され、制限数を超えない場合、受信した電子メールを印刷し、前記判定ステップにより制限印刷しないと判定された場合、受信した電子メールを印刷する印刷ステップとを実行するプログラムを記憶した記憶媒体。
【手続補正２】
【補正対象書類名】明細書
【補正対象項目名】０００６
【補正方法】変更
【補正の内容】
【０００６】
【課題を解決するための手段】
上記課題を解決するための本発明の電子メール印刷装置は、
電子メールを受信する受信手段と、
前記受信手段により受信した電子メールの印刷を制限する制限手段とを有することを特徴とする。
【手続補正３】
【補正対象書類名】明細書
【補正対象項目名】０００７
【補正方法】変更
【補正の内容】
【０００７】
また、本発明の電子メール印刷装置は、
電子メールを受信する受信手段と、
制限印刷するか否かを判定する判定手段と、
制限数を超え前記判定手段により制限印刷しないと判定された場合、送信元または返信先にメールを送信する送信手段と、
制限数を超え前記判定手段により制限印刷すると判定された場合、所定量まで印刷する印刷手段とを有することを特徴とする。
また、本発明の電子メール印刷装置は、
電子メールを受信する受信手段と、
制限印刷するか否かを判定する判定手段と、
前記判定手段により制限印刷すると判定され、制限数を超える場合、電子メールを印刷せず、前記判定手段により制限印刷すると判定され、制限数を超えない場合、電子メールを印刷し、前記判定手段により制限印刷しないと判定された場合、電子メールを印刷する印刷手段とを有することを特徴とする。
【手続補正４】
【補正対象書類名】明細書
【補正対象項目名】０００８
【補正方法】変更
【補正の内容】
【０００８】
また、本発明の電子メール印刷方法は、
電子メールを受信する受信ステップと、
前記受信ステップにより受信した電子メールの印刷を制限する制限ステップとを有することを特徴とする。
【手続補正５】
【補正対象書類名】明細書
【補正対象項目名】０００９
【補正方法】変更
【補正の内容】
【０００９】
また、本発明の電子メール印刷方法は、
電子メールを受信する受信ステップと、
制限印刷するか否かを判定する判定ステップと、
制限数を超え前記判定ステップにより制限印刷しないと判定された場合、送信元または返信先にメールを送信する送信ステップと、
制限数を超え前記判定ステップにより制限印刷すると判定された場合、所定量まで印刷する印刷ステップとを有することを特徴とする。
また、本発明の電子メール印刷方法は、
電子メールを受信する受信ステップと、
制限印刷するか否かを判定する判定ステップと、
前記判定ステップにより制限印刷すると判定され、制限数を超える場合、電子メールを印刷せず、前記判定ステップにより制限印刷すると判定され、制限数を超えない場合、電子メールを印刷し、前記判定ステップにより制限印刷しないと判定された場合、電子メールを印刷する印刷ステップとを有することを特徴とする。
【手続補正６】
【補正対象書類名】明細書
【補正対象項目名】００１０
【補正方法】変更
【補正の内容】
【００１０】
また、本発明の記憶媒体は、
電子メールを受信する受信ステップと、
前記受信ステップにより受信した電子メールの印刷を制限する制限ステップとを実行するプログラムを記憶したことを特徴とする。
【手続補正７】
【補正対象書類名】明細書
【補正対象項目名】００１１
【補正方法】変更
【補正の内容】
【００１１】
また、本発明の記憶媒体は、
制限印刷するか否かを判定する判定ステップと、
制限数を超え前記判定ステップにより制限印刷しないと判定された場合、送信元または返信先にメールを送信する送信ステップと、
制限数を超え前記判定ステップにより制限印刷すると判定された場合、受信した電子メールを所定量まで印刷する印刷ステップとを実行するプログラムを記憶したことを特徴とする。
また、本発明の記憶媒体は、
制限印刷するか否かを判定する判定ステップと、
前記判定ステップにより制限印刷すると判定され、制限数を超える場合、受信した電子メールを印刷せず、前記判定ステップにより制限印刷すると判定され、制限数を超えない場合、受信した電子メールを印刷し、前記判定ステップにより制限印刷しないと判定された場合、受信した電子メールを印刷する印刷ステップとを実行するプログラムを記憶したことを特徴とする。